(57)【要約】【課題】役席者の承認が必要な取引を係員の独自の判断により役席者の承認を得ることなく続行させることを防止し、事務処理の堅確性を保つことができるようにする。【解決手段】営業店端末１が役席者の承認が必要である便宜扱い取引と判定したとき、伝票から読み取った取引情報とともに役席者の承認を依頼する通知を取引管理サーバ７へ送信し、その取引管理サーバ７が便宜扱い取引識別番号を付与するとともにその便宜扱い取引識別番号に関連付けて取引情報を便宜扱い取引管理データベース８に格納し、また役席端末４から受信した事前承認結果を便宜扱い取引識別番号に関連付けて便宜扱い取引管理データベース８に格納し、その便宜扱い取引識別番号を営業店端末１へ通知して便宜扱い取引を行うことができるようにした。【選択図】        図１
2009145936.tif 000002
【特許請求の範囲】
【請求項１】
取引種別、口座情報、および取引金額等からなる取引情報が記入された伝票をスキャナ部で読み取った営業店端末がその取引情報に基づいて取引を行う営業店システムにおいて、
スキャナ部で伝票から読み取った情報に基づいて役席者の承認が必要である便宜扱い取引と判定したとき、伝票から読み取った取引情報とともに役席者の承認を依頼する通知を送信する営業店端末と、
前記営業店端末から役席者の承認を依頼する通知を受信し、便宜扱い取引識別番号を付与するとともにその便宜扱い取引識別番号に関連付けて取引情報をデータベースに格納する取引管理サーバと、
前記データベースに格納された取引情報および便宜扱い取引識別番号を前記取引管理サーバから受信して表示し、該取引情報に基づく取引が行われる前に役席者の事前承認操作を受け付け、その事前承認結果を便宜扱い取引識別番号とともに送信する役席端末とを設け、
前記役席端末から事前承認結果を受信した取引管理サーバが、前記便宜扱い取引識別番号に関連付けて該事前承認結果をデータベースに格納するとともに該便宜扱い取引識別番号を営業店端末へ通知して便宜扱い取引を行うことができるようにしたことを特徴とする営業店システム。
【請求項２】
請求項１の営業店システムにおいて、
前記営業店端末が、入力された便宜扱い取引識別番号を前記取引管理サーバへ送信し、該取引管理サーバが受信した便宜扱い取引識別番号に基づいてデータベースを検索して抽出した事前承認結果を前記営業店端末へ通知し、該営業店端末が通知された該事前承認結果から取引が事前承認されていることを確認して取引を行うようにしたことを特徴とする営業店システム。
【請求項３】
請求項１または請求項２の営業店システムにおいて、
前記取引管理サーバが、取引を行なった前記営業店端末から受信した取引の結果を前記データベースに前記便宜扱い取引識別番号に関連付けて格納し、
前記役席端末が、入力された便宜扱い取引識別番号を前記取引管理サーバへ送信し、該取引管理サーバが受信した便宜扱い取引識別番号に基づいてデータベースを検索して抽出した前記取引の結果を前記役席端末へ通知し、該役席端末が通知された該取引の結果から該取引の事後検印の操作を受け付け、その事後検印結果を便宜扱い取引識別番号とともに前記取引管理サーバへ送信し、
前記取引管理サーバが、前記便宜扱い取引識別番号に関連付けて該事後検印結果をデータベースに格納するようにしたことを特徴とする営業店システム。
【請求項４】
請求項１、請求項２または請求項３の営業店システムにおいて、
前記取引管理サーバが、前記便宜扱い取引識別番号とともに便宜扱い取引とする条件が解消した旨の事後整理の通知を受信すると該便宜扱い取引識別番号に関連付けて該事後整理情報をデータベースに格納して該便宜扱い取引を整理するようにしたことを特徴とする営業店システム。
【請求項５】
請求項４の営業店システムにおいて、
前記事後整理の通知を、前記役席端末が送信するようにしたことを特徴とする営業店システム。
【請求項６】
請求項１から請求項４または請求項５の営業店システムにおいて、
前記営業店端末が、スキャナ部で読み取った伝票のイメージデータから該伝票に印鑑が押印されていないこと、旧登録の印鑑が押印されていること、および通帳伝票プリンタ部に通帳が挿入されていないことのいずれかを検知したとき、役席者の承認が必要である便宜扱い取引と判定するようにしたことを特徴とする営業店システム。
【請求項７】
取引種別、口座情報、および取引金額等からなる取引情報が記入された伝票をスキャナ部で読み取った営業店端末がその取引情報に基づいて取引を行う営業店システムにおいて、
役席者の承認が必要である便宜扱い取引と判定したとき、伝票から読み取った取引情報とともに役席者の承認を依頼する処理を行う営業店端末と、
便宜扱い取引に対して便宜扱い取引識別情報を付与するとともにその便宜扱い取引識別情報に関連付けて取引情報をデータベースに格納する取引管理部と、
前記データベースに格納された取引情報および便宜扱い取引識別情報を取得して、当該便宜扱い取引に対する役席者の事前承認操作を受け付け、その事前承認結果を便宜扱い取引識別情報とともに通知する処理を行う役席端末とを設け、
前記取引管理部は、前記役席端末から事前承認結果の通知がなされると、前記便宜扱い取引識別情報に関連付けて該事前承認結果をデータベースに格納することを特徴とする営業店システム。
【発明の詳細な説明】
【技術分野】
【０００１】
本発明は、金融機関の営業店の窓口で顧客の要求により現金の引出し等の取引を行う営業店システムに関する。
【背景技術】
【０００２】
従来の営業店システムは、金融機関の営業店の窓口で顧客が記入した伝票を係員が受け付けて行う現金の引出し等の取引において、その伝票に押印された被照合印影と登録印影との照合率を出力する照合処理部、および取引情報が所定の条件を満たしているか否かを判定する取引条件判定部を印鑑照合端末に設けて印鑑照合を行い、オペレータの作業負担を軽減し、かつ印鑑照合業務の堅確性を向上させるようにしている（例えば、特許文献１参照）。
【特許文献１】特開２００４−３１８５４８号公報（段落「００１５」〜段落「００１９」、図１）
【発明の開示】
【発明が解決しようとする課題】
【０００３】
しかしながら、上述した従来の技術においては、顧客が記入した伝票に顧客の届出印が押印されていない場合や古い届出印等が押下された場合、便宜扱いとして取引を成立させる必要があることがあり、そのような場合、係員は役席者に伝票等の必要書類を提出して承認を得るか、または係員が操作する営業店端末から役席者等が使用する役席端末へ伝票データを送信してこの役席端末で役席者等の承認を得るようにしているが、係員の独自の判断により取引を続行させることもあり、事務処理の堅確性を保つことができないという問題がある。
【０００４】
本発明は、このような問題を解決することを課題とする。
【課題を解決するための手段】
【０００５】
そのため、本発明は、取引種別、口座情報、および取引金額等からなる取引情報が記入された伝票をスキャナ部で読み取った営業店端末がその取引情報に基づいて取引を行う営業店システムにおいて、スキャナ部で伝票から読み取った情報に基づいて役席者の承認が必要である便宜扱い取引と判定したとき、伝票から読み取った取引情報とともに役席者の承認を依頼する通知を送信する営業店端末と、前記営業店端末から役席者の承認を依頼する通知を受信し、便宜扱い取引識別番号を付与するとともにその便宜扱い取引識別番号に関連付けて取引情報をデータベースに格納する取引管理サーバと、前記データベースに格納された取引情報および便宜扱い取引識別番号を前記取引管理サーバから受信して表示し、該取引情報に基づく取引が行われる前に役席者の事前承認操作を受け付け、その事前承認結果を便宜扱い取引識別番号とともに送信する役席端末とを設け、前記役席端末から事前承認結果を受信した取引管理サーバが、前記便宜扱い取引識別番号に関連付けて該事前承認結果をデータベースに格納するとともに該便宜扱い取引識別番号を営業店端末へ通知して便宜扱い取引を行うことができるようにしたことを特徴とする。
【発明の効果】
【０００６】
このようにした本発明は、係員の独自の判断により取引を続行させることを防止し、事務処理の堅確性を保つことができるようになるという効果が得られる。
【発明を実施するための最良の形態】
【０００７】
以下、図面を参照して本発明による営業店システムの実施例を説明する。
【実施例】
【０００８】
図１は実施例における営業店システムの構成を示すブロック図である。
図１において、１は営業店端末であり、金融機関の営業店の窓口に設置され、金融機関の係員の操作を受け付けて顧客が希望する現金の支払い（出金）等の取引を処理するものである。この営業店端末１はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御を行う制御部、磁気ディスク、半導体メモリ等の記憶部、ＣＲＴ（Ｃａｔｈｏｄｅ  Ｒａｙ  Ｔｕｂｅ）、液晶ディスプレイ等の表示部、キーボード等の操作部、顧客が取引内容等を記入した伝票を読み取るスキャナ部、行った取引の内容を通帳や伝票に印刷する通帳伝票プリンタ部、紙幣等の現金の入金および出金を行う現金処理部および通信回線２を介して画像データ等の各種データの通信制御を行う通信制御部等を備えるものである。
【０００９】
このように構成された営業店端末１は、係員の操作により顧客が持参した出金依頼書等の伝票をスキャナ部で読み取り、読み取った伝票に記入された取引の内容を示す情報、および伝票全体の伝票イメージデータを表示部に表示する。また、持参した通帳の磁気ストライプを通帳伝票プリンタ部で読み取り、さらに現金を現金処理部で計数および払出し、出金取引等を行うものである。なお、営業店端末１の詳細は後述する。
【００１０】
３はホストコンピュータ（上位装置）であり、金融機関の事務センタ等に設置され、顧客の口座毎の口座残高等を記憶するデータベースを備えたものである。このホストコンピュータ３は営業店端末１との間で入金、出金、振込等の取引電文の送受信を行い顧客の口座の残高不足等が発生しないことをデータベースに問い合わせて確認し、顧客の取引を成立させるか否かを判定する。ホストコンピュータ３はＣＰＵ、ＭＰＵ等の演算および制御手段、磁気ディスク、半導体メモリ等の記憶手段および通信手段等を備えるものである。
【００１１】
４は役席端末であり、金融機関の営業店に設置され、営業店端末１で行う取引においてスキャナ部で読み取った伝票に押印がない場合や伝票に押印された印鑑が旧登録の印鑑であった場合、また顧客が通帳を持参しなかった場合等に支店長等の役席者の承認（以下、「便宜扱い承認」という。）が必要になったとき、その役席者が承認作業を行うためのものである。なお、便宜扱い承認を受けた取引を「便宜扱い取引」という。
【００１２】
この役席端末４はＣＰＵ、ＭＰＵ等の演算および制御を行う制御部、磁気ディスク、半導体メモリ等の記憶部、ＣＲＴ、液晶ディスプレイ等の表示部、キーボード等の入力部および通信回線２を介して他の装置と送受信を行う通信制御部等で構成されたパーソナルコンピュータ等である。
５は印鑑サーバであり、金融機関の事務センタ等に設置され、顧客の口座番号等の口座情報に関連付けて印影イメージデータおよび署名イメージデータ等の印鑑データを予め格納しておく印鑑データベース６等を備え、その印鑑データを印鑑データベース６から読み出し、また印鑑データベース６へ書込むものである。
【００１３】
この印鑑サーバ５はＣＰＵ等の演算手段を含む制御手段、磁気ディスク、半導体メモリ等の記憶手段および通信手段等を備えるものである。また、この印鑑サーバ５は通信回線２を介して他の機器と相互に通信可能に接続されている。
ここで、印鑑データベース６は、顧客の口座番号等の口座情報、顧客の届出印として現在登録されている印鑑のイメージデータである登録印鑑データ、過去に登録された印鑑のイメージデータである旧登録印鑑データで構成され、この登録印鑑データおよび旧登録印鑑データは口座情報に関連付けて記憶されているものとする。
【００１４】
したがって、営業店端末１のスキャナ部２３で伝票から読み取った顧客の口座情報をその営業店端末１から受信した印鑑サーバ５はその口座情報に基づいて印鑑データベース６を検索して当該顧客の登録印鑑データ、および旧登録印鑑データを抽出することができるようになっている。
なお、口座情報は伝票に記入される顧客の口座番号等の口座情報と同一のものである。また、旧登録印鑑データは複数の過去に登録された印鑑のイメージデータを記憶することができるものとする。例えば、１世代前の登録印鑑データ、２世代前の登録印鑑データ等が記憶されているものとする。
【００１５】
このように印鑑サーバ５は営業店端末１等から顧客の口座情報を含む印鑑データを要求する電文を受信するとその口座情報に基づいて印鑑データベース６を検索し、抽出した印鑑データをその営業店端末１等へ返信する。
７は取引管理サーバであり、金融機関の事務センタ等に設置され、役席端末４において便宜扱い承認を行うとき、便宜扱い取引を識別するための便宜扱い取引識別番号（例えば、通番など）を付与するとともに取引の種別、口座情報、取引金額等の伝票に記入された取引情報、伝票イメージデータ、およびその取引の役席者による事前承認結果（承認／否承認）、取引の実行結果を示す取引結果、取引実行後の役席者の事後検印ならびに事後整理情報等を便宜扱い取引識別番号に関連付けて便宜扱い取引管理情報として格納する便宜扱い取引管理データベース８を備えたものである。
【００１６】
この取引管理サーバ７はＣＰＵ等の演算手段を含む制御手段、磁気ディスク、半導体メモリ等の記憶手段および通信手段等を備えるものである。また、この取引管理サーバ７は通信回線２を介して他の機器と相互に通信可能に接続されている。
ここで、便宜扱い取引管理データベース８は、図１（ｂ）に示すように便宜扱い取引識別番号、取引情報、伝票イメージデータ、事前承認結果、取引結果、事後検印、および事後整理情報等で構成されている。
【００１７】
この便宜扱い取引識別番号は、便宜扱い取引を識別するために付与された通番等であり、取引情報は取引の種別、口座情報、取引金額等の伝票から読み取った取引に関する情報、伝票イメージデータは営業店端末１のスキャナ部で読み取った伝票のイメージデータである。
また、事前承認結果は、便宜扱い取引が実行される前に役席端末４で行われた承認結果、取引結果は、便宜扱い取引が実行された結果（正常終了または異常終了等）であり、事後検印は、便宜扱い取引が実行された後に役席端末４で検印操作が行なわれたことを示すものである。
【００１８】
さらに、事後整理情報は、便宜扱い取引が実行された後、顧客がその取引の正式な伝票（例えば、登録された印鑑が押印された伝票）を持参したときに役席端末４で事後処理が行われたことを示すものである。
なお、本実施例では、事後処理が行われた便宜扱い取引の便宜扱い取引識別番号を便宜扱い取引管理データベース８に格納したままにする例で説明するが、事後処理が行われた便宜扱い取引の便宜扱い取引識別番号を便宜扱い取引管理データベース８から消去するようにしてもよい。
【００１９】
なお、図示していないが、便宜扱いとする理由（印鑑忘れ・通帳忘れ等）の情報を、便宜扱い理由情報として格納できるものとする。
９はセンタ端末であり、金融機関の事務センタ等に設置され、印鑑サーバ５や取引管理サーバ７に各種指令を送信し、またその結果を受信して表示等する端末装置である。
このセンタ端末９はＣＰＵ、ＭＰＵ等の演算および制御を行う制御部、磁気ディスク、半導体メモリ等の記憶部、ＣＲＴ、液晶ディスプレイ等の表示部、キーボード等の入力部および通信回線２を介して他の装置と送受信を行う通信制御部等で構成されたパーソナルコンピュータ等である。
【００２０】
上述したように営業店システムは営業店端末１、役席端末４、ホストコンピュータ３、印鑑サーバ５、印鑑データベース６、取引管理サーバ７、および便宜扱い取引管理データベース８等で構成され、営業店端末１、役席端末４、ホストコンピュータ３、印鑑サーバ５、および取引管理サーバ７は通信回線２を介して通信可能に接続されている。
この営業店システムは、本来当該金融機関に現在登録されている印鑑（届出印）が押印されている伝票を受け付けるものであるが、顧客へのサービスを拡大するため顧客の手違いにより印鑑が押印されていない伝票、ならびに印鑑は押印されているが以前に登録されていた印鑑が押印された伝票も受け付け、また本来通帳が必要になる取引を行う場合に顧客が通帳を持参しなかったときでもその取引を受け付けるものとする。
【００２１】
図２は実施例における営業店端末の構成を示すブロック図である。
図２において、２１は表示部であり、取引の種別を選択する画面、取引内容および伝票に押印された印鑑を含む伝票全体のイメージデータ等を表示する液晶ディスプレイ等である。
２２は操作部であり、係員の操作により各種情報の入力を受け付けるキーボードや顧客の操作により暗証番号の入力を受け付けるテンキー等である。この操作部２２でキーボード等の押下を検知するとその検知された信号が後述する制御部に出力される。
【００２２】
２３はスキャナ部であり、顧客が持参した出金依頼書等の伝票を読み取る光学式読取装置である。このスキャナ部２３は押印された印鑑を含む伝票全体のイメージデータを取得するとともに読み取ったイメージデータから伝票の所定の欄に記入された口座番号、金額等をＯＣＲ（Ｏｐｔｉｃａｌ  Ｃｈａｒａｃｔｅｒ  Ｒｅａｄｅｒ）文字認識することができるものである。
【００２３】
２４は通帳伝票プリンタ部であり、通帳や伝票等の媒体を搬送する媒体搬送機構、通帳等に貼付された磁気ストライプに対し情報の読取や書込みを行う磁気ストライプ読取書込み機構や文字を印字する印字機構等を備え、通帳等の磁気ストライプに記録された情報の読み取りや通帳等に取引内容等を印字するものである。
２５は現金処理部であり、紙幣や硬貨等の現金の入金処理や出金処理を行うものである。ここで、入金処理とは現金処理部２５の現金受渡し口である現金入出金口に投入された現金を繰出して計数等し、入出金庫へ収納する処理であり、出金処理とは、入出金庫に収納された現金を繰出して計数等し、現金入出金口へ集積させる処理である。
【００２４】
２６は記憶部であり、半導体メモリや磁気ディスク等で構成され、情報を記憶し、また記憶した情報を読出すことができるものである。この記憶部２６には営業店端末１全体の動作を制御する制御プログラム（ソフトウェア）等を記憶し、また表示部２１に表示する画面データ等を記憶する。
２７は制御部であり、ＣＰＵ等の演算および制御手段等で構成されたものである。この制御部２７は表示部２１、操作部２２、スキャナ部２３、通帳伝票プリンタ２４、現金処理部２５および記憶部２６を含めて営業店端末１全体の動作を記憶部２６に格納された制御プログラム（ソフトウェア）に基づいて制御する。
【００２５】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、便宜扱い取引管理処理の概略を図３の実施例における便宜扱い取引管理処理の流れを示すフローチャートの図中Ｓで表すステップにしたがって説明する。
【００２６】
Ｓ１ａ：営業店端末１で行う取引においてスキャナ部で読み取った伝票に押印がない場合や伝票に押印された印鑑が旧登録の印鑑であった場合、また顧客が通帳を持参しなかった場合等の事由により便宜扱い取引が発生したとき、営業店端末１は便宜扱い取引の事前承認を依頼する通知を取引管理サーバ７へ送信し、取引管理サーバ７は便宜扱い取引識別番号を付与してその便宜扱い取引の内容を便宜扱い取引管理データベース８に登録する。
【００２７】
便宜扱い取引の内容を便宜扱い取引管理データベース８に登録した後、営業店端末１は伝票に付与された便宜扱い取引識別番号を印字し、役席端末４ではその便宜扱い取引を事前に承認する操作が行なわれる。
便宜扱い取引を事前に承認する操作が行なわれると役席端末４は事前承認が行われた旨の通知を取引管理サーバ７へ送信し、取引管理サーバ７は便宜扱い取引識別番号に関連付けて事前承認結果として便宜扱い取引管理データベース８に格納する。（事前承認処理）
Ｓ２ａ：便宜扱い取引が事前に承認されると営業店端末１で便宜扱い取引識別番号の入力を受け付け、便宜扱い取引識別番号で識別される便宜扱い取引のオンライン処理が行われる。（取引のオンライン処理）
Ｓ３ａ：便宜扱い取引のオンライン取引が行われると役席端末４で便宜扱い取引識別番号で識別される便宜扱い取引が正しく行われたことを確認する事後検印の操作が行われる。
【００２８】
その事後検印の操作を受け付けた役席端末４は、事後検印が行われた旨の通知を取引管理サーバ７へ送信し、取引管理サーバ７は便宜扱い取引識別番号に関連付けて事後検印として便宜扱い取引管理データベース８に格納する。（事後検印処理）
Ｓ４ａ：便宜扱い取引のオンライン取引が行われた後、登録された印鑑が押印等された正式な伝票が顧客から提出されたとき、役席端末４で便宜扱い取引の一覧から選択された便宜扱い取引を整理する操作が行なわれる。
【００２９】
その操作を受け付けた役席端末４は、整理が行われた旨の通知を取引管理サーバ７へ送信し、取引管理サーバ７は便宜扱い取引識別番号に関連付けて事後整理情報として便宜扱い取引管理データベース８に格納する。（事後処理）
このようにして便宜扱い取引管理処理が行われる。なお、営業店端末１、役席端末４、およびセンタ端末９において便宜扱い取引管理データベース８に格納された便宜扱い取引管理情報を一覧表形式で表示、印刷することができるようになっている。また、各営業店を統括する本部の端末装置でも便宜扱い取引情報を一覧表形式で表示、印刷することができるようになっている。
【００３０】
次に、事前承認処理の詳細を図４の実施例における事前承認処理の流れを示すフローチャートの図中Ｓで表すステップにしたがって説明する。
顧客は、通帳と必要な事項が記入され、登録した印鑑が押印されていない伝票を窓口の係員に提出するものとする。
Ｓ１ｂ：営業店端末１の操作部２２は、伝票のイメージデータを読み取るための画面を呼び出すキーの押下を受け付ける。
【００３１】
Ｓ２ｂ：画面を呼び出す操作を受け付けると営業店端末１の表示部２１は、伝票のイメージデータを読み取るための画面を表示する。
Ｓ３ｂ：係員は顧客から預かった伝票をスキャナ部２３の読取部に載置するとともに伝票のイメージデータを読み取るためのキー押下の操作を行う。
Ｓ４ｂ：営業店端末１のスキャナ部２３は伝票全体のイメージデータを読み取り、そのイメージデータを記憶部２６に記憶させる。
【００３２】
Ｓ５ｂ：営業店端末１の制御部２７は、読み取った伝票イメージデータから所定の欄に記入された文字の認識を行い、認識された文字データを記憶部２６に記憶させる。なお、この伝票には口座番号、取引先名、便宜扱い内容、取引内容、金額等が記入されているものとする。
また、制御部２７（押印有無検出手段）は記憶部２６に記憶された伝票イメージデータに印鑑のイメージデータが含まれているか否か、すなわち伝票に印鑑が押印されているか否かを判定する。
【００３３】
ここで、伝票イメージデータに印鑑のイメージデータが含まれているか否かは、制御部２７が記憶部２６に記憶された伝票イメージデータから印鑑が押印される所定の位置のイメージデータを切り出し、その切り出したイメージデータに印鑑データが含まれているか否か、例えばノイズ以外のイメージデータが含まれていないことを検知したとき印鑑データが含まれていないと判定し、それ以外を印鑑データが含まれていると判定するものとする。
【００３４】
伝票イメージデータに印鑑のイメージデータが含まれていないと判定すると営業店端末１の制御部２７の指示により表示部２１はスキャナ部２３で読み取った伝票イメージデータ、および口座番号、取引先名、便宜扱い内容、取引内容、金額等の伝票に記入された取引情報等で構成された役席承認申請画面を表示する。
なお、伝票イメージデータに印鑑のイメージデータが含まれていると判定された場合であっても、押印された印鑑が旧登録の印鑑であった場合や押印された印鑑と登録された印鑑データとの一致率が所定の閾値より小さい場合も役席承認申請画面を表示するものとする。
【００３５】
押印された印鑑が旧登録の印鑑であることの検知方法を以下に説明する。
伝票イメージデータに印鑑のイメージデータが含まれていると判定すると制御部２７は口座情報を含む印鑑データの取得を依頼する電文を印鑑サーバ５へ送信する。
印鑑サーバ５は受信した口座情報に基づいて印鑑データベース６の口座情報を検索し、その口座情報に関連付けて記憶された登録印鑑データおよび旧登録印鑑データを抽出する。印鑑サーバ５は抽出した登録印鑑データおよび旧登録印鑑データを依頼された営業店端末１へ送信する。
【００３６】
営業店端末１の制御部２７（一致率算出手段）は記憶部２６に記憶された伝票イメージデータから印鑑が押印される所定の位置のイメージデータを切り出し、そのイメージデータと受信した登録印鑑データとを照合し、その照合の結果を数値化した一致率（照合率）を算出する（特開２００４−３１８５４８号公報  段落「００２７」〜段落「００２９」）。
【００３７】
このとき、一致率が予め記憶部２６に記憶された閾値（例えば、７０％）を超えていない場合、切り出したイメージデータと受信した旧登録印鑑データとを照合し、その照合の結果を数値化した一致率（照合率）を算出する。ここで、旧登録印鑑データとの照合は、新しい旧登録印鑑データから古い旧登録印鑑データへと順次（例えば、１世代前の登録印鑑データ、２世代前の登録印鑑データの順）照合していくものとする。
【００３８】
このように切り出したイメージデータと受信した旧登録印鑑データとの一致率が閾値を超えると制御部２７は「押印された印鑑が旧登録の印鑑である」ことを検知する。
また、制御部２７は切り出したイメージデータと受信した登録印鑑データとを照合して算出した一致率が予め記憶部２６に記憶された閾値（例えば、８０％）超えているか否かを判定し、その閾値を超えていないと判定すると「一致率が所定の閾値より小さい」ことを検知する。
【００３９】
上述したように制御部２７は、伝票に印鑑が押印されていないこと、また押印された印鑑が旧登録の印鑑であったこと、押印された印鑑と登録された印鑑データとの一致率が所定の閾値より小さいことを検知した場合、役席者の承認が必要である取引（便宜扱い取引）と判定し、表示部２１は役席承認申請画面を表示する。
なお、このとき、便宜扱いとする理由を入力するための入力指示部をともに表示させる。このときの入力方式は、所定の理由リストを表示して係員に選択させるプルダウンリスト方式が望ましい。さらに、検出した事由に応じて予め選択された状態で表示することが望ましい。上述のように印鑑に問題がある場合は、「印鑑に問題あり」等のリストが選択された状態となる。あるいは、さらに詳細な理由リストを設けておき、押印されていない場合には「印鑑の押印なし」、旧登録の印鑑であった場合には「旧印鑑を押印」、印鑑データの一致率が低い場合「異なる印鑑の可能性あり」等、詳細な理由が選択されているようにしてもよい。ところで上記の理由リストは各理由毎に理由識別情報が付されて、端末毎あるいはサーバーに予め格納されており、窓口端末や役席端末から参照可能になっているものとする。選択された理由の情報は、取引情報等とともに送信され、便宜扱い取引データベース８に便宜扱い理由情報として記憶されるものとする。
【００４０】
また、制御部２７は通帳を欠くことができない取引において通帳が通帳伝票プリンタ部２４に挿入されてない場合も同様に役席者の承認が必要である取引（便宜扱い取引）と判定する。
なお、この場合も同様に、便宜扱いとする理由が選択される。この場合は「通帳なし」等が選択されて表示される。
【００４１】
Ｓ６ｂ：係員は営業店端末１に表示された役席承認申請画面の内容を確認するとともに必要事項を入力し、役席の承認を得るための完了キーを押下するものとする。
完了キーの押下を操作部２２で受け付けた営業店端末１の制御部２７は取引情報および入力された必要事項とともに役席者の便宜扱い取引の承認を依頼する通知を取引管理サーバ７へ送信する。
【００４２】
Ｓ７ｂ：便宜扱い取引の承認を依頼する通知を受信した取引管理サーバ７は、便宜扱い取引識別番号を付与するとともに取引情報等を便宜扱い取引管理データベース８に登録し、その便宜扱い取引識別番号を営業店端末１へ送信する。
Ｓ８ｂ：便宜扱い取引識別番号を受信した営業店端末１の制御部２７の指示により通帳伝票プリンタ部２４は係員により挿入された伝票にその便宜扱い取引識別番号を印字する。
【００４３】
Ｓ９ｂ：伝票に便宜扱い取引識別番号を印字した営業店端末１の表示部２１は次の操作を受け付けるためのスタート画面を表示する。
Ｓ１０ｂ：一方、役席端末４は、承認が必要な便宜扱い取引の発生を問い合わせる通知を取引管理サーバ７へ送信し、取引管理サーバ７は、便宜扱い取引管理データベース８を検索して登録されている承認が必要な便宜扱い取引を便宜扱い取引識別番号とともに抽出し、承認が必要な便宜扱い取引の登録の有無を役席端末４へ送信する。
【００４４】
Ｓ１１ｂ：承認が必要な便宜扱い取引が登録されている旨の通知を受信した役席端末４は役席承認操作画面を表示する。この役席承認操作画面は、図５に示すように、例えば帳票イメージ、取扱日、店番、口座番号、取引先名、便宜扱い内容、取引内容、金額等および便宜扱い取引を承認するための「承認」ボタン、便宜扱い取引を承認しないための「却下」ボタン等で構成されたものである。
【００４５】
Ｓ１２ｂ：役席端末４は「承認」または「却下」ボタンを選択する操作を受付け、便宜扱い取引の承認または却下（非承認）を事前承認結果として取引管理サーバ７へ通知し、処理をＳ９ｂへ移行させる。
Ｓ１３ｂ：取引管理サーバ７は、受信した事前承認結果を便宜扱い取引識別番号に関連付けて便宜扱い取引管理データベース８に格納するとともに便宜扱い取引の承認を依頼した営業店端末１へ便宜扱い取引の事前承認がされた旨（事前承認結果）を通知する。
【００４６】
Ｓ１４ｂ：便宜扱い取引の事前承認がされた旨を受信した営業店端末１は表示した画面のステータス情報領域に便宜扱い取引の事前承認がされたことを表示する。
このようにして営業店システムは事前承認処理を行う。
次に、便宜扱い取引のオンライン処理の詳細を図６の実施例における便宜扱い取引処理（無印鑑）の流れを示すフローチャート、図７の実施例における便宜扱い取引処理（無通帳）の流れを示すフローチャートの図中Ｓで表すステップにしたがって説明する。
【００４７】
まず、便宜扱い取引処理（無印鑑）を図６に基づいて説明する。
顧客は、通帳と必要な事項が記入され、登録した印鑑が押印されていない伝票を窓口の係員に提出するものとする。
Ｓ１ｃ：営業店端末１の操作部２２は、伝票のイメージデータを読み取るための画面を呼び出すキーの押下を受け付ける。その操作を受け付けると営業店端末１の表示部２１は、伝票のイメージデータを読み取るための画面を表示する。
【００４８】
係員は顧客から預かった伝票をスキャナ部２３の読取部に載置するとともに伝票のイメージデータを読み取るためのキー押下の操作を行う。
Ｓ２ｃ：営業店端末１のスキャナ部２３は伝票全体のイメージデータを読み取り、そのイメージデータを記憶部２６に記憶させる。
Ｓ３ｃ：営業店端末１の制御部２７は、読み取った伝票イメージデータから所定の欄に記入された文字の認識を行い、認識された文字データを記憶部２６に記憶させる。
【００４９】
なお、この伝票には口座番号、取引先名、便宜扱い内容、取引内容、金額等が記入されているものとする。
伝票が読み取られると営業店端末１の制御部２７の指示により表示部２１はスキャナ部２３で読み取った伝票イメージデータ、および口座番号、取引先名、便宜扱い内容、取引内容、金額等の伝票に記入された取引情報等で構成された取引画面を表示するとともに通帳伝票プリンタ部２４は通帳の挿入を受け付ける。
【００５０】
Ｓ４ｃ：取引画面を表示すると営業店端末１の制御部２７の指示により操作部２２は係員の操作による取引に必要な情報の入力を受け付ける。
Ｓ５ｃ：取引に必要な情報の入力を受け付けると営業店端末１の制御部２７の指示により操作部２２は便宜扱い取引識別番号を入力するための画面を表示させる「便宜通番」キーの押下を待機する。
【００５１】
ここで、係員は「便宜通番」キーを押下するものとする。
なお、ここで「完了」キーが押下された場合、処理をＳ１４ｃへ移行する。
Ｓ６ｃ：「便宜通番」キーの押下を受け付けると営業店端末１の制御部２７の指示により表示部２１は便宜扱い取引識別番号を入力するための便宜扱い通番入力画面を表示する。
【００５２】
Ｓ７ｃ：係員は便宜扱い通番入力画面において伝票に印字された便宜扱い取引識別番号を入力するものとし、操作部２２はその便宜扱い取引識別番号の入力を受け付ける。
Ｓ８ｃ：便宜扱い取引識別番号の入力を受け付けると営業店端末１の制御部２７の指示により操作部２２は取引をすすめるための「完了」キーの押下を待機し、係員は「完了」キーを押下するものとする。
【００５３】
「完了」キーの押下を検知すると営業店端末１の制御部２７は入力された便宜扱い取引識別番号とともにその便宜扱い取引識別番号が登録されていることおよび事前承認されていることの確認を依頼する通知を取引管理サーバ７へ送信する。
Ｓ９ｃ：取引管理サーバ７は受信した便宜扱い取引識別番号に基づいて便宜扱い取引管理データベース８を検索してその便宜扱い取引識別番号が既に登録されていることおよび事前承認がされていることを確認し、その事前承認結果（承認／否承認）を営業店端末１へ送信する。
【００５４】
Ｓ１０ｃ：便宜扱い取引識別番号の確認結果を受信した営業店端末１の制御部２７はその結果を判定し、便宜扱い取引識別番号が登録されていない場合はその旨を表示部２１に表示して処理をＳ６ｃへ移行し、便宜扱い取引識別番号が登録されているが当該便宜扱い取引が否承認されている場合はその旨を表示部２１に表示して次の操作を受け付けるためのスタート画面を表示させて処理を終了し、便宜扱い取引識別番号が登録され、かつ当該便宜扱い取引が事前承認されている場合はその旨を表示部２１に表示して処理をＳ１１ｃへ移行する。
【００５５】
Ｓ１１ｃ、Ｓ１２ｃ：便宜扱い取引識別番号が登録され、かつ当該便宜扱い取引が事前承認されている場合、営業店端末１の制御部２７の指示により表示部２１はスキャナ部２３で読み取った伝票イメージデータ、および口座番号、取引先名、便宜扱い内容、取引内容、金額等の伝票に記入された取引情報等で構成された取引画面を表示し、操作部２１は取引をすすめるための「完了」キーの押下を待機し、係員は「完了」キーを押下するものとする。
【００５６】
Ｓ１３ｃ：「完了」キーの押下を検知すると営業店端末１の制御部２７は取引に必要なすべての情報が入力されているか否かを確認し、入力がされていない情報が存在する場合、処理をＳ１１ｃへ移行し、すべての情報が入力されていることを確認すると処理をＳ１４ｃへ移行する。
Ｓ１４ｃ：ここで、営業店端末１の制御部２７は入力された便宜扱い取引識別番号が入力されていること、すなわち入力された便宜扱い取引識別番号が登録され、かつ当該便宜扱い取引が事前承認されていることを確認し、入力されていると判定すると処理をＳ１８ｃへ移行し、入力されていないと判定すると処理をＳ１５ｃへ移行する。
【００５７】
なお、入力されていないと判定されるのはＳ５ｃにおいて「便宜通番」キーが押下されることなく、「完了」キーが押下された場合である。
Ｓ１５ｃ：便宜扱い取引識別番号が入力されていない場合、営業店端末１の制御部２７は記憶部２６に記憶された伝票イメージデータに印鑑のイメージデータ（印影）が含まれているか否か、すなわち伝票に印鑑が押印されているか否かを判定する。
【００５８】
ここで、伝票イメージデータに印鑑のイメージデータが含まれているか否かは、制御部２７が記憶部２６に記憶された伝票イメージデータから印鑑が押印される所定の位置のイメージデータを切り出し、その切り出したイメージデータに印鑑データが含まれているか否か、例えばノイズ以外のイメージデータが含まれていないことを検知したとき印鑑データが含まれていないと判定し、それ以外を印鑑データが含まれていると判定するものとする。
【００５９】
伝票に印鑑が押印されていると判定すると処理をＳ１７ｃへ移行し、伝票に印鑑が押印されていないと判定すると処理をＳ１６ｃへ移行する。
Ｓ１６ｃ：伝票に印鑑が押印されていないと判定すると印鑑の照合処理を行うことなく処理をＳ４ｃへ移行する。
Ｓ１７ｃ：伝票に印鑑が押印されていると判定すると営業店端末１の制御部２７は伝票から読み取った顧客の口座情報とともにその顧客の印鑑データを要求する電文を印鑑サーバ５へ送信する。
【００６０】
印鑑サーバ５は、受信した口座情報に基づいて印鑑データベース６を検索し、抽出した印鑑データをその営業店端末１へ返信する。
営業店端末１の制御部２７の指示により表示部２１は受信した印鑑データを表示し、係員は伝票のイメージデータに含まれる印鑑のイメージデータ（印影）と照合して印鑑が一致していることを確認し、「照合完了」キーを押下するものとする。
【００６１】
なお、営業店端末１の制御部２７が受信した印鑑データと伝票のイメージデータに含まれる印鑑のイメージデータ（印影）とを照合する処理を行うようにしてもよい。
Ｓ１８ｃ：次に、営業店端末１の制御部２７は口座番号、取引先名、便宜扱い内容、取引内容、金額等の伝票に記入された取引情報を含む取引電文をホストコンピュータ３へ送信して取引処理を依頼する。
【００６２】
ホストコンピュータ３は受信した取引電文に基づいて取引処理を行い、その取引を許可する電文（取引成立）を営業店端末１へ送信するものとする。
Ｓ１９ｃ：取引を許可する電文（取引成立）を受信した営業店端末１の制御部２７の指示により通帳伝票プリンタ部２４は伝票および通帳に取引内容を印字する。
Ｓ２０ｃ：また、営業店端末１の制御部２７の指示により現金処理部２５は、例えば取引金額に相当する紙幣および／または硬貨の現金を払い出し、係員はその現金および取引内容を印字した通帳を顧客に渡して取引を終了させる。
【００６３】
このとき、営業店端末１の制御部２７は便宜扱い取引識別番号とともにその取引が完了した旨の通知を取引管理サーバ７へ送信し、その取引管理サーバ７は受信した便宜扱い取引識別番号の取引が完了したことを取引結果として便宜扱い取引管理データベース８に格納する。
一方、取引を許可しない電文（取引不成立）をホストコンピュータ３から受信した場合、営業店端末１の制御部２７は便宜扱い取引識別番号とともにその取引が完了した旨の通知を取引管理サーバ７へ送信することなく、処理をＳ３ｃへ移行する。
【００６４】
したがって、便宜扱い取引管理データベース８に便宜扱い取引が完了したことが格納されることはない。
このようにして営業店システムは便宜扱い取引処理（無印鑑）を行う。
次に、便宜扱い取引処理（無通帳）を図７に基づいて説明する。
顧客は、必要な事項が記入された伝票だけを窓口の係員に提出するものとする。
【００６５】
Ｓ１ｄ、Ｓ２ｄ：図６におけるＳ１ｃ、Ｓ２ｃと同様なのでその説明を省略する。
Ｓ３ｄ：営業店端末１の制御部２７は、読み取った伝票イメージデータから所定の欄に記入された文字の認識を行い、認識された文字データを記憶部２６に記憶させる。
なお、この伝票には口座番号、取引先名、便宜扱い内容、取引内容、金額等が記入されているものとする。
【００６６】
伝票が読み取られると営業店端末１の制御部２７の指示により表示部２１はスキャナ部２３で読み取った伝票イメージデータ、および口座番号、取引先名、便宜扱い内容、取引内容、金額等の伝票に記入された取引情報等で構成された取引画面を表示する。
Ｓ４ｄ〜Ｓ１２ｄ：図６におけるＳ４ｃ〜Ｓ１２ｃと同様なのでその説明を省略する。
Ｓ１３ｄ：「完了」キーの押下を検知すると営業店端末１の制御部２７は取引に必要なすべての情報が入力されているか否かを確認し、また本取引において通帳が必須であるか否かを判定する。
【００６７】
ここで、通帳が必須であるか否かは伝票から読み取った取引内容により判定するものとし、例えば各種口座の解約取引等は通帳が必須であると判定するものとする。
通帳が必須であると判定すると処理をＳ１４ｄへ移行し、必須でないと判定すると処理をＳ１７ｄへ移行する。
Ｓ１４ｄ：通帳が必須であると判定されると営業店端末１の制御部２７は通帳伝票プリンタ部２４に通帳が挿入されているか否かを判定する。通帳が挿入されていると判定すると処理をＳ１７ｄへ移行し、挿入されていないと判定すると処理をＳ１５ｄへ移行する。なお、本実施例では通帳が通帳伝票プリンタ部２４に挿入されていないものとする。
【００６８】
Ｓ１５ｄ：ここで、営業店端末１の制御部２７は入力された便宜扱い取引識別番号が入力されていること、すなわち入力された便宜扱い取引識別番号が登録され、かつ当該便宜扱い取引が事前承認されていることを確認し、入力されていると判定すると処理をＳ１６ｄへ移行し、入力されていないと判定すると処理をＳ４ｄへ移行する。
なお、入力されていないと判定されるのはＳ５ｄにおいて「便宜通番」キーが押下されることなく、「完了」キーが押下された場合である。
【００６９】
Ｓ１６ｄ：便宜扱い取引識別番号が入力されていることを確認すると営業店端末１の制御部２７の指示により操作部２２は無通帳であるが取引が承認されていることを示す「無通」キーのランプを点灯する。
Ｓ１７ｄ：次に、営業店端末１の制御部２７は口座番号、取引先名、便宜扱い内容、取引内容、金額等の伝票に記入された取引情報を含む取引電文をホストコンピュータ３へ送信して取引処理を依頼する。
【００７０】
ホストコンピュータ３は受信した取引電文に基づいて取引処理を行い、その取引を許可する電文（取引成立）を営業店端末１へ送信するものとする。
Ｓ１８ｄ：取引を許可する電文（取引成立）を受信した営業店端末１の制御部２７の指示により通帳伝票プリンタ部２４は伝票に取引内容を印字する。
Ｓ１９ｄ：また、営業店端末１の制御部２７の指示により現金処理部２５は、例えば取引金額に相当する紙幣および／または硬貨の現金を払い出し、係員はその現金を顧客に渡して取引を終了させる。
【００７１】
このとき、営業店端末１の制御部２７は便宜扱い取引識別番号とともにその取引が完了した旨の通知を取引管理サーバ７へ送信し、その取引管理サーバ７は受信した便宜扱い取引識別番号の取引が完了したことを取引結果として便宜扱い取引管理データベース８に格納する。
一方、取引を許可しない電文（取引不成立）をホストコンピュータ３から受信した場合、営業店端末１の制御部２７は便宜扱い取引識別番号とともにその取引が完了した旨の通知を取引管理サーバ７へ送信することなく、処理をＳ３ｄへ移行する。
【００７２】
したがって、便宜扱い取引管理データベース８に便宜扱い取引が完了したことが格納されることはない。
このようにして営業店システムは便宜扱い取引処理（無通帳）を行う。
次に、事後検印処理の詳細を図８の実施例における事後検印処理の流れを示すフローチャートの図中Ｓで表すステップにしたがって説明する。
【００７３】
窓口の係員は便宜扱い取引が完了した伝票を役席まで持参し、役席者にその伝票を渡すものとする。
Ｓ１ｅ：役席端末４の操作部は伝票を受け取った役席者の操作を受け付け、その操作を受け付けると制御部の指示により表示部は業務を選択するための役席端末業務メニュー画面を表示する。
【００７４】
Ｓ２ｅ：役席端末４の操作部は役席端末業務メニュー画面に表示された「事後検印」キーの押下を受け付ける。
Ｓ３ｅ：「事後検印」キーの押下を受け付けると役席端末４の制御部の指示により表示部は事後検印通番を入力するための事後検印通番入力画面を表示する。本実施例では、この事後検印通番入力画面において事後検印通番は便宜扱い取引識別番号で入力するための「便宜扱い通番」キーが押下されるものとする。
【００７５】
Ｓ４ｅ：「便宜扱い通番」キーが押下されると役席端末４の制御部の指示により操作部は便宜扱い取引識別番号の入力を受け付ける。役席者は係員から渡された伝票に印字された便宜扱い取引識別番号を入力し、さらに「完了」キーを押下するものとする。
Ｓ５ｅ：「完了」キーの押下を検知すると役席端末４の制御部は入力された便宜扱い取引識別番号とともにその便宜扱い取引識別番号が登録されていることの確認を依頼する通知を取引管理サーバ７へ送信する。
【００７６】
取引管理サーバ７は受信した便宜扱い取引識別番号に基づいて便宜扱い取引管理データベース８を検索してその便宜扱い取引識別番号が既に登録されていることを確認し、その結果およびその便宜扱い取引識別番号に関連付けて記憶された取引情報を役席端末４へ送信する。
Ｓ６ｅ：役席端末４の制御部は受信した結果から便宜扱い取引識別番号が既に登録されていると判定すると処理をＳ７ｅへ移行し、登録されていないと判定すると処理をＳ３ｅへ移行する。
【００７７】
Ｓ７ｅ：便宜扱い取引識別番号が既に登録されていると判定すると役席端末４の制御部の指示により表示部は役席者がその便宜扱い取引を事後検印するための役席承認操作画面を表示する。この役席承認操作画面には取引管理サーバ７から受信した取引情報に基づいて便宜扱い取引の内容も表示される。
Ｓ８ｅ：役席者は役席端末４に表示された便宜扱い取引の内容を確認する。
【００７８】
Ｓ９ｅ：役席者は役席端末４に表示された便宜扱い取引の内容を確認すると役席承認操作画面に表示された「事後検印」キーを押下してその便宜扱い取引を検査する。
「事後検印」キーの押下を検知すると役席端末４の制御部は便宜扱い取引識別番号とともにその便宜扱い取引識別番号の取引が事後検印された旨（事後検印結果）の通知を取引管理サーバ７へ送信する。
【００７９】
取引管理サーバ７は受信した便宜扱い取引識別番号に関連付けて事後検印がされたことを取引管理データベース８に格納し、その結果を役席端末４へ送信する。
役席者は事後検印が完了した取引の伝票を保管するものとする。
このようにして営業店システムは事後検印処理を行う。
なお、本実施例では役席端末４が役席者の操作を受け付けて事後検印通番入力画面を表示するようにしたが、上述した便宜扱い取引のオンライン処理で便宜扱い取引が完了したことを便宜扱い取引管理データベース８に格納した取引管理サーバ７が便宜扱い取引が完了した旨の通知を役席端末４へ送信して事後検印処理を行うようにしてもよい。
【００８０】
次に、事後処理の詳細を図９の実施例における事後処理の流れを示すフローチャートの図中Ｓで表すステップにしたがって説明する。
便宜扱い取引を行った顧客は、必要な事項が記入され、登録された印鑑が押印されている伝票を窓口の係員に提出し、その係員は受け取った伝票を役席者に渡すものとする。
Ｓ１ｆ：役席端末４の操作部は伝票を受け取った役席者の操作を受け付け、その操作を受け付けると制御部の指示により表示部は業務を選択するための役席端末業務メニュー画面を表示する。
【００８１】
Ｓ２ｆ：役席端末４の操作部は役席端末業務メニュー画面に表示された「未整理取引一覧」キーの押下を受け付ける。ここで、未整理取引とは、本事後処理が行われていない便宜扱い取引管理データベース８に登録された取引であり、便宜扱い取引管理データベース８の事後整理情報が「未」となっている取引である。
Ｓ３ｆ：「未整理取引一覧」キーの押下を受け付けると役席端末４の制御部は未整理取引の一覧を要求する通知を取引管理サーバ７へ送信する。
【００８２】
その通知を受信した取引管理サーバ７は便宜扱い取引管理データベース８を検索して事後整理情報が「未」になっている便宜扱い取引識別番号および取引情報を抽出して役席端末４へ送信する。
役席端末４の制御部の指示により表示部は受信した便宜扱い取引識別番号および取引情報に基づいて未整理取引の一覧画面を表示する。
【００８３】
役席者は表示された未整理取引の一覧画面から事後処理する未整理取引を選択し、その取引の内容を確認するものとする。
このとき、便宜扱い理由情報がともに取得されて、理由識別情報に対応する理由の文言が表示される。役席者は、それを見て対応する箇所が問題ない状態となったことを確認することが出来る。
【００８４】
Ｓ４ｆ：取引の内容を確認した役席者は「整理」キーを押下するものとし、役席端末４の操作部はその操作を受け付け、制御部は選択された取引の便宜扱い取引識別番号とともに事後処理がされた旨、すなわち便宜扱い取引とする条件が解消した旨の事後整理の通知を取引管理サーバ７へ送信する。
その通知を受信した取引管理サーバ７は便宜扱い取引識別番号に関連付けて事後処理がされたことを便宜扱い取引管理データベース８の事後整理情報に格納し、その結果を役席端末４へ送信する。なお、便宜扱い取引管理データベース８の事後整理情報には事後処理が行われた日付や役席者名等も格納される。
【００８５】
このようにして営業店システムは事後処理を行い、便宜扱い取引とした条件を解消させる。
上述したように営業店システムは事前承認処理、取引のオンライン処理、事後検印処理、事後処理からなる便宜扱い取引管理処理を行うことで便宜扱い取引の取引情報、事前承認結果、事後検印ならびに事後整理情報等の情報を便宜扱い取引識別番号に関連付けて便宜扱い取引管理情報として便宜扱い取引管理データベース８に格納することができる。
【００８６】
また、役席端末４等は便宜扱い取引管理データベース８に格納された便宜扱い取引管理情報を一覧表形式で表示、印刷することができるのは上述したとおりである。
以上説明したように、本実施例では、便宜扱い取引の事前承認処理、事後検印処理、および事後承認処理を行うようにしたことにより、係員の独自の判断により取引を続行させることを防止し、事務処理の堅確性を保つことができるようになるという効果が得られる。
【００８７】
また、便宜扱い取引の取引情報、事前承認結果、事後検印ならびに事後整理情報を一元的に管理することができるようになり、営業店等における事務処理の効率を大幅に向上させることができるという効果が得られる。
さらに、本部から全営業店の便宜扱い取引の状況を把握することができるようになり、営業店の事務指導やリスク管理の情報として役立てることができるという効果が得られる。
【図面の簡単な説明】
【００８８】
【図１】実施例における営業店システムの構成を示すブロック図
【図２】実施例における営業店端末の構成を示すブロック図
【図３】実施例における便宜扱い取引管理処理の流れを示すフローチャート
【図４】実施例における事前承認処理の流れを示すフローチャート
【図５】実施例における承認画面の説明図
【図６】実施例における便宜扱い取引処理（無印鑑）の流れを示すフローチャート
【図７】実施例における便宜扱い取引処理（無通帳）の流れを示すフローチャート
【図８】実施例における事後検印処理の流れを示すフローチャート
【図９】実施例における事後処理の流れを示すフローチャート
【符号の説明】
【００８９】
１    営業店端末
２    通信回線
３    ホストコンピュータ
４    役席端末
５    印鑑サーバ
６    印鑑データベース
７    取引管理サーバ
８    便宜扱い取引管理データベース
９    センタ端末
【図１】
2009145936.tif 000003
【図２】
2009145936.tif 000004
【図３】
2009145936.tif 000005
【図４】
2009145936.tif 000006
【図５】
2009145936.tif 000007
【図６】
2009145936.tif 000008
【図７】
2009145936.tif 000009
【図８】
2009145936.tif 000010
【図９】
2009145936.tif 000011